(57)【特許請求の範囲】
【請求項１】
複数の画像データの画像形成順序を並べ換え、前記画像データの数に応じて記録媒体上に並置されて形成される前記画像データ相互間の配置間隔を調整して記録媒体上に形成し、前記画像データが形成された記録媒体の束を綴じて２つ折りにした後、端部を断裁し、中綴じされた２つ折りの冊子を作成する冊子作成方法において、
前記並置される画像データ相互間の配置間隔が最小である場合の画像データの配置位置と前記並置される画像データ相互間の配置間隔が最大である場合の画像データの配置位置との差分量に基づいて断裁される前記記録媒体の束のサイズを設定する断裁サイズ設定工程を含むこと、
を特徴とする冊子作成方法。
【請求項２】
前記記録媒体の長手方向の寸法を設定する寸法設定工程と、
前記差分量を受け付ける差分量設定入力工程と、
を含み、
前記断裁サイズ設定工程は、前記寸法設定工程によって設定された寸法及び前記差分量設定入力工程によって受け付けられた差分量に基づいて前記断裁される記録媒体の束のサイズを算出し設定すること、
を特徴とする請求項１記載の冊子作成方法。
【請求項３】
前記断裁される記録媒体の束のサイズＷは、下記に示す式に基づいて算出されること、を特徴とする請求項２記載の冊子作成方法。
Ｗ＝（Ｙ／２）−α
Ｙ：記録媒体の長手方向の寸法
α：差分量
【請求項４】
前記並置される画像データ相互間の最小配置間隔を受け付ける配置間隔入力工程と、
前記配置間隔入力工程によって受け付けられた前記並置される画像データ相互間の最小配置間隔及び前記差分量に基づいて、並置される画像データ相互間の配置間隔を前記記録媒体毎に算出する配置間隔算出工程と、
を含むこと、
を特徴とする請求項１から３のいずれか一項に記載の冊子作成方法。
【請求項５】
複数の画像データの画像形成順序を並べ換え、前記画像データの数に応じて記録媒体上に並置されて形成される前記画像データ相互間の配置間隔を調整して記録媒体上に形成し、画像データが形成された記録媒体の束を綴じて２つ折りにした後、端部を断裁し、中綴じされた２つ折りの冊子を作成する冊子作成システムにおいて、
前記並置される画像データ相互間の配置間隔が最小である場合の画像データの配置位置と前記並置される画像データ相互間の配置間隔が最大である場合の画像データの配置位置との差分量に基づいて断裁される前記記録媒体の束のサイズを設定する断裁サイズ設定手段を備えること、
を特徴とする冊子作成システム。
【請求項６】
前記記録媒体の長手方向の寸法を設定する寸法設定手段と、
前記差分量を受け付ける差分量設定入力手段と、
を備え、
前記断裁サイズ設定手段は、前記寸法設定手段によって設定された寸法及び前記差分量設定入力手段が受け付けた差分量に基づいて前記断裁される記録媒体の束のサイズを算出し設定すること、
を特徴とする請求項５記載の冊子作成システム。
【請求項７】
前記断裁される記録媒体の束のサイズＷは、下記に示す式に基づいて算出されること、を特徴とする請求項６記載の冊子作成システム。
Ｗ＝（Ｙ／２）−α
Ｙ：記録媒体の長手方向の寸法
α：差分量
【請求項８】
前記並置される画像データ相互間の最小配置間隔を受け付ける配置間隔入力手段と、
前記配置間隔入力手段が受け付けた前記並置される画像データ相互間の最小配置間隔及び前記差分量に基づいて、並置される画像データ相互間の配置間隔を前記記録媒体毎に算出する配置間隔算出手段と、
を備えること、
を特徴とする請求項５から７のいずれか一項に記載の冊子作成システム。
【請求項９】
複数の画像データの画像形成順序を並べ換えさせ、前記画像データの数に応じて記録媒体上に並置されて形成される前記画像データ相互間の配置間隔を調整させて記録媒体上に形成させ、前記画像データが形成された記録媒体の束を綴じて２つ折りにさせた後、端部を断裁させ、中綴じされた２つ折りの冊子を作成させるコンピュータに、
前記並置される画像データ相互間の配置間隔が最小である場合の画像データの配置位置と前記並置される画像データ相互間の配置間隔が最大である場合の画像データの配置位置との差分量に基づいて断裁される前記記録媒体の束のサイズを設定する断裁サイズ設定機能、
を実現させるためのプログラム。
【請求項１０】
前記記録媒体の長手方向の寸法を設定する寸法設定機能と、
前記差分量を受け付ける差分量設定入力機能と、
を実現させ、
前記断裁サイズ設定機能は、前記寸法設定機能によって設定された寸法及び前記差分量設定入力機能によって受け付けられた前記差分量に基づいて前記断裁される記録媒体の束のサイズを算出し設定すること、
を特徴とする請求項９記載のプログラム。
【請求項１１】
前記断裁される記録媒体の束のサイズＷは、下記に示す式に基づいて算出されること、を特徴とする請求項１０記載のプログラム。
Ｗ＝（Ｙ／２）−α
Ｙ：記録媒体の長手方向の寸法
α：差分量
【請求項１２】
前記並置される画像データ相互間の最小配置間隔を受け付ける配置間隔入力機能と、
前記配置間隔入力機能によって受け付けられた前記並置される画像データ相互間の最小配置間隔及び前記差分量に基づいて、並置される画像データ相互間の配置間隔を前記記録媒体毎に算出する配置間隔算出機能と、
を実現させること、
を特徴とする請求項９から１１のいずれか一項に記載のプログラム。
【発明の詳細な説明】
【技術分野】
【０００１】
本発明は、画像が形成された記録媒体の束に対して中綴じ、中折り及び断裁処理を行って冊子を作成する冊子作成システム、冊子作成方法及びプログラムに関する。
【背景技術】
【０００２】
近年、記録媒体上に画像を形成する画像形成手段と、画像が形成された記録媒体の束に対して、記録媒体の中央部にステイプル処理を施す中綴じ処理手段、記録媒体に折り目を形成する中折処理手段、中綴じ及び中折り処理された記録媒体の束を断裁して端部を揃える断裁処理手段等の後処理手段とを備え、冊子を作成する冊子作成システムが実現されている。
【０００３】
このような冊子作成システムにおける断裁処理において、一部あたりの枚数によって断裁寸法の過不足が生じたり、裁断後の小口が不均一になったりするため、中綴じ処理及び中折処理された記録媒体の束の小口又は三方の断裁位置を記録媒体のサイズ毎に指定入力する入力手段を有し、入力手段から入力された入力データに従って断裁位置を制御する後処理装置が開示されている（特許文献１参照）。
【０００４】
また、記録媒体の束に対して中綴じ及び中折り処理を行い端部を断裁処理した場合、画像が形成される領域が全ての記録媒体において同一範囲であると（即ち、綴じ代が全て同じ）、作成された冊子の内側の記録媒体と比べて外側の記録媒体ほど形成される画像が綴じ位置に寄ってしまうことにより画像の一部が不明瞭になる怖れがあるため、各記録媒体に並置されて形成される画像相互間の距離（ページ間隔）を記録媒体毎に調整する冊子システムが開示されている。
【０００５】
例えば、折れ線から印刷範囲までの余白部分を設定可能とするために、並置されたイメージページの離隔間隔を折れ線に沿ってイメージページの一部が不明瞭になるのを阻止するプリセット増分距離だけ付加する工程を含む電子印刷機（特許文献２参照）や、メディア（記録媒体）の厚さ毎に予め設定された中綴じ冊子印刷における余白調整量を記憶しており、余白調整量に基づいて綴じ位置からの余白量を用紙単位で自動的に調整する情報処理装置（特許文献３参照）が開示されている。
【特許文献１】特開２０００−２１１８０６号公報
【特許文献２】特公平８−５２６１号公報
【特許文献３】特開２００４−５４６８号公報
【発明の開示】
【発明が解決しようとする課題】
【０００６】
しかしながら、このような冊子作成システムにおける断裁処理後の記録媒体のサイズ（断裁サイズ）は、各記録媒体上に並置される画像相互間の距離（ページ間隔）とは無関係に独自に設定されるため、ユーザはページ間隔と断裁サイズとを個別に設定しなくてはならず、ユーザにとって使い勝手のよいものではなかった。
【０００７】
本発明の課題は、画像が形成された記録媒体の束に対して中綴じ、中折り、断裁処理を行い冊子を作成する冊子作成システムにおいて、各記録媒体上に並置される画像相互間の距離（ページ間隔）と断裁処理後の記録媒体のサイズ（断裁サイズ）とを関連付けて、断裁サイズの設定処理の効率化を図ることによりユーザに対する利便性を向上させることである。
【課題を解決するための手段】
【０００８】
請求項１に記載の発明は、複数の画像データの画像形成順序を並べ換え、前記画像データの数に応じて記録媒体上に並置されて形成される前記画像データ相互間の配置間隔を調整して記録媒体上に形成し、前記画像データが形成された記録媒体の束を綴じて２つ折りにした後、端部を断裁し、中綴じされた２つ折りの冊子を作成する冊子作成方法において、前記並置される画像データ相互間の配置間隔が最小である場合の画像データの配置位置と前記並置される画像データ相互間の配置間隔が最大である場合の画像データの配置位置との差分量に基づいて断裁される前記記録媒体の束のサイズを設定する断裁サイズ設定工程を含むこと、を特徴としている。
【０００９】
請求項２に記載の発明は、請求項１記載の冊子作成方法において、前記記録媒体の長手方向の寸法を設定する寸法設定工程と、前記差分量を受け付ける差分量設定入力工程と、を含み、前記断裁サイズ設定工程は、前記寸法設定工程によって設定された寸法及び前記差分量設定入力工程によって受け付けられた差分量に基づいて前記断裁される記録媒体の束のサイズを算出し設定すること、を特徴としている。
【００１０】
請求項３に記載の発明は、請求項２記載の冊子作成方法において、前記断裁される記録媒体の束のサイズＷは、下記に示す式に基づいて算出されること、を特徴としている。
Ｗ＝（Ｙ／２）−α
Ｙ：記録媒体の長手方向の寸法
α：差分量
【００１１】
請求項４に記載の発明は、請求項１から３のいずれか一項に記載の冊子作成方法において、前記並置される画像データ相互間の最小配置間隔を受け付ける配置間隔入力工程と、前記配置間隔入力工程によって受け付けられた前記並置される画像データ相互間の最小配置間隔及び前記差分量に基づいて、並置される画像データ相互間の配置間隔を前記記録媒体毎に算出する配置間隔算出工程と、を含むこと、を特徴としている。
【００１２】
請求項５に記載の発明は、複数の画像データの画像形成順序を並べ換え、前記画像データの数に応じて記録媒体上に並置されて形成される前記画像データ相互間の配置間隔を調整して記録媒体上に形成し、画像データが形成された記録媒体の束を綴じて２つ折りにした後、端部を断裁し、中綴じされた２つ折りの冊子を作成する冊子作成システムにおいて、前記並置される画像データ相互間の配置間隔が最小である場合の画像データの配置位置と前記並置される画像データ相互間の配置間隔が最大である場合の画像データの配置位置との差分量に基づいて断裁される前記記録媒体の束のサイズを設定する断裁サイズ設定手段を備えること、を特徴としている。
【００１３】
請求項６に記載の発明は、請求項５記載の冊子作成システムにおいて、前記記録媒体の長手方向の寸法を設定する寸法設定手段と、前記差分量を受け付ける差分量設定入力手段と、を備え、前記断裁サイズ設定手段は、前記寸法設定手段によって設定された寸法及び前記差分量設定入力手段が受け付けた差分量に基づいて前記断裁される記録媒体の束のサイズを算出し設定すること、を特徴としている。
【００１４】
請求項７に記載の発明は、請求項６記載の冊子作成システムにおいて、前記断裁される記録媒体の束のサイズＷは、下記に示す式に基づいて算出されること、を特徴としている。
Ｗ＝（Ｙ／２）−α
Ｙ：記録媒体の長手方向の寸法
α：差分量
【００１５】
請求項８に記載の発明は、請求項５から７のいずれか一項に記載の冊子作成システムにおいて、前記並置される画像データ相互間の最小配置間隔を受け付ける配置間隔入力手段と、前記配置間隔入力手段が受け付けた前記並置される画像データ相互間の最小配置間隔及び前記差分量に基づいて、並置される画像データ相互間の配置間隔を前記記録媒体毎に算出する配置間隔算出手段と、を備えること、を特徴としている。
【００１６】
請求項９に記載の発明は、複数の画像データの画像形成順序を並べ換えさせ、前記画像データの数に応じて記録媒体上に並置されて形成される前記画像データ相互間の配置間隔を調整させて記録媒体上に形成させ、前記画像データが形成された記録媒体の束を綴じて２つ折りにさせた後、端部を断裁させ、中綴じされた２つ折りの冊子を作成させるコンピュータに、前記並置される画像データ相互間の配置間隔が最小である場合の画像データの配置位置と前記並置される画像データ相互間の配置間隔が最大である場合の画像データの配置位置との差分量に基づいて断裁される前記記録媒体の束のサイズを設定する断裁サイズ設定機能を実現させるためのプログラムであること、を特徴としている。
【００１７】
請求項１０に記載の発明は、請求項９記載のプログラムにおいて、前記記録媒体の長手方向の寸法を設定する寸法設定機能と、前記差分量を受け付ける差分量設定入力機能と、を実現させ、前記断裁サイズ設定機能は、前記寸法設定機能によって設定された寸法及び前記差分量設定入力機能によって受け付けられた前記差分量に基づいて前記断裁される記録媒体の束のサイズを算出し設定すること、を特徴としている。
【００１８】
請求項１１に記載の発明は、請求項１０記載のプログラムにおいて、前記断裁される記録媒体の束のサイズＷは、下記に示す式に基づいて算出されること、を特徴としている。
Ｗ＝（Ｙ／２）−α
Ｙ：記録媒体の長手方向の寸法
α：差分量
【００１９】
請求項１２に記載の発明は、請求項９から１１のいずれか一項に記載のプログラムにおいて、前記並置される画像データ相互間の最小配置間隔を受け付ける配置間隔入力機能と、前記配置間隔入力機能によって受け付けられた前記並置される画像データ相互間の最小配置間隔及び前記差分量に基づいて、並置される画像データ相互間の配置間隔を前記記録媒体毎に算出する配置間隔算出機能と、を実現させることを特徴としている。
【発明の効果】
【００２０】
請求項１、５、９に記載の発明によれば、並置される画像データ相互間の配置間隔が最小である場合（即ち、ページ間隔が最小である場合）の画像データの配置位置と最大である場合（即ち、ページ間隔が最大である場合）の画像データの配置位置との差分量（最大オフセット量）に基づいて、断裁される記録媒体の束のサイズ（断裁サイズ）を設定することができるため、断裁サイズの設定処理の効率化を図ることができ、ユーザに対する利便性を向上させることができる。
【００２１】
請求項２、６、１０に記載の発明によれば、請求項１、５、９のいずれか一項と同様の効果を得られるのは勿論のこと、ユーザが任意で記録媒体の長手方向の寸法及び差分量を設定することができるため、断裁サイズの設定の自由度を向上させることができると共にページ間隔の設定の自由度を向上させることができる。
【００２２】
請求項３、７、１１に記載の発明によれば、請求項２、６、１０のいずれか一項と同様の効果を得られるのは勿論のこと、容易に断裁サイズを算出することができるため、制御負荷を低減さることができる。
【００２３】
請求項４、８、１２に記載の発明によれば、請求項１〜３、５〜７、９〜１１のいずれか一項と同様の効果を得られるのは勿論のこと、ユーザが並置される画像データ相互間の最小配置間隔を任意に設定することができるため、ページ間隔の設定の自由度を向上させることができ、更に、記録媒体毎のページ間隔を差分量と画像データの数と共に容易に算出することができるため、制御負荷を低減させることができる。
【発明を実施するための最良の形態】
【００２４】
以下、図を参照して本発明の実施の形態を詳細に説明する。
まず、構成を説明する。
図１に、本実施の形態における冊子作成システムＳの断面構成図を示す。
冊子作成システムＳは、原稿から画像を読み取り、読み取った画像を処理対象紙としての紙等の記録媒体Ｐに画像形成するコピー機能や、パーソナルコンピュータ等から画像データを受信し、画像データが表す画像を記録媒体上に形成して出力するプリンタ機能と、画像が形成された記録媒体に対して、ステイプル処理、パンチ処理、折り処理、断裁処理等を施す後処理機能等を備えている。図１に示すように、冊子作成システムＳは、本体部１と後処理部２とから構成されている。
【００２５】
本体部１は、画像読取部１０と、プリント部２０とから構成される。
画像読取部１０は、ＡＤＦ（Auto Document Feeder）と称される自動原稿送り部１１と読取部１２とを備える。
自動原稿送り部１１の原稿トレイＴ１に載置された原稿ｄは、読取部１２の読取個所であるコンタクトガラスに搬送され、読取部１２の光学系により原稿ｄの片面又は両面の画像が読み取られ、イメージセンサ１２ａにより原稿ｄの画像が読み取られる。ここで、画像とは、図形や写真等のイメージデータに限らず、文字や記号等のテキストデータ等も含む意である。
【００２６】
読取部１２により読み取られた画像（アナログ画像信号）は、後述する画像制御部に出力され、画像制御部においてＡ／Ｄ変換され各種画像処理が施された後、プリント部２０に出力される。
【００２７】
画像形成処理を行う手段としてのプリント部２０は、入力されたプリントデータに基づいて、電子写真方式の画像形成処理を行うものであり、画像形成部２１、給紙部２２、給紙搬送部２３、定着部２４、搬出部２５を備えて構成される。
【００２８】
画像形成部２１は、感光体ドラム、帯電装置、画像データを表すレーザ光を出力するレーザ出力部とレーザ光を主走査方向に走査させるポリゴンミラーとを有する露光装置、現像装置、転写装置２１ａ、クリーニング部を備えている。
具体的には、帯電装置により帯電された感光体ドラムに露光装置でレーザ光を照射して静電潜像を形成する。そして、現像装置は、静電潜像が形成された感光体ドラムの表面に帯電したトナーを付着させて静電潜像を現像する。現像装置により感光体ドラム上に形成されたトナー像は、転写装置において記録媒体Ｐに転写される。また、記録媒体Ｐにトナー像が転写された後、感光体ドラムの表面の残留電荷や残留トナー等は、クリーニング部により除去される。
【００２９】
給紙部２２は、複数の給紙カセット２２ａ、給紙ローラ２２ｂ、手差しトレイＴ２等を備える。給紙カセット２２ａは、給紙カセット２２ａ毎にサイズや種類毎に予め識別された記録媒体Ｐが収容されており、給紙ローラ２２ｂによって収容された記録媒体Ｐを最上部から一枚ずつ給紙搬送部２３に向けて搬送する。手差しトレイＴ２は、ユーザのニーズに合わせて様々な種類の記録媒体Ｐをその都度積載可能となっており、給紙ローラによって積載された記録媒体Ｐを最上部から一枚ずつ給紙搬送部２３に向けて搬送する。
【００３０】
給紙搬送部２３は、給紙カセット２２ａ、手差しトレイＴ２から搬送された記録媒体Ｐを、複数の中間ローラ、レジストローラ２３ａ等を経て転写装置２１ａへと搬送する。
また、給紙搬送部２３は、搬送路切換板２３ｂにより、片面画像形成処理済みの記録媒体Ｐを自動両面給紙搬送路２３ｃに搬送し、再び中間ローラ、レジストローラ２３ａを経て転写装置２１ａへと搬送する。
【００３１】
なお、搬送切換板２３ｂを経る前に画像が形成される記録媒体の面を第１面とし、搬送切換板２３ｂによって自動両面給紙搬送路２３ｃに搬送された後に画像が形成される記録媒体の面を第２面という。
【００３２】
定着部２４は、給紙搬送部２３によって搬送された記録媒体Ｐに転写されたトナー像を熱定着する。定着処理された記録媒体Ｐは、搬出部２５の排紙ローラ２５ａに挟持されて搬出口２５ｂから後処理部２の受入口８０ａへ出力される。
【００３３】
後処理部２は、本体部１により画像が形成された記録媒体Ｐを１部毎に集積し、１部毎にステイプル処理、折り処理、断裁処理等の後処理を行うフィニッシャーである。図１に示すように、後処理部２は、記録媒体Ｐが排出される固定排紙トレイＴ３、昇降排紙トレイＴ４、冊子収納トレイＴ５と、表紙給紙部３０と、シフト処理部４０と、ステイプルユニット５０と、折りユニット６０と、断裁ユニット７０と、搬送手段等を備えて構成される。
【００３４】
後処理部２は、本体部１から記録媒体Ｐが搬出される搬出口２５ｂの位置と合致するよに受入口８０ａが設置されている。受入口８０ａから記録媒体Ｐの搬送方向下流の搬送経路は、第１搬送経路Ｒ１、第２搬送経路Ｒ２、第３搬送経路Ｒ３、第７搬送経路Ｒ７の４系統に分岐されており、第１、２、３の切換ゲート８１、８２、８４の角度により記録媒体Ｐがいずれかの搬送経路に搬送される。
【００３５】
第１搬送経路Ｒ１は、本体部１から排出された画像形成済みの記録媒体Ｐに対してステイプル処理及びソート処理が行われない場合の記録媒体Ｐの搬送経路である。受入口８０ａに搬送された記録媒体Ｐは、第１の切換ゲート８１の右側の搬送路を通過し、搬送ローラに挟持されて上昇搬送され、排出ローラ８３ａに挟持されて固定排紙トレイＴ３上に排出される。
【００３６】
第２搬送経路Ｒ２は、本体部１から排出された画像形成済みの記録媒体Ｐに対してシフト処理が行われる場合又はシフト処理が行われなくても大量に出力したい場合の記録媒体Ｐの搬送経路である。受入口８０ａに搬送された記録媒体Ｐは、第１の切換ゲート８１の下方の搬送路を通過し、搬送ローラに挟持されてシフト処理部４０を経て排出ローラ８３ｂ挟持されて、大量の記録媒体を収納可能な昇降排紙トレイＴ４上に排出される。
【００３７】
第３搬送経路Ｒ３は、本体部１から排出された画像形成済みの記録媒体Ｐに対してステイプル処理が行われる場合の記録媒体Ｐの搬送経路である。受入口８０ａに搬送された記録媒体Ｐは、第２の切換ゲート８２の下方の搬送路を通過し、搬送ローラに挟持されて傾斜配置された後述するスタック台５１に排出される。スタック台５１に排出された記憶媒体Ｐは、ステイプラー５２近傍の可動ストッパ部材の突き当て面に記録媒体Ｐの搬送方向先端部が当接して停止される。この停止位置において、スタック台５１上に所定枚数の記録媒体Ｐが積載及び整合されると、ステイプラー５２によりステイプル処理が行われ、記録媒体Ｐの束が綴じ合わされる。記録媒体Ｐの束は、スタック台５１の載置面上を滑走して斜め上方に押し上げられ排出ローラ８３ｂに挟持されて、昇降排紙トレイＴ４上に排出される。
【００３８】
第７搬送経路Ｒ７は、ステイプルを実施しない折り処理を行う場合に使用される搬送経路であり、本体から排出された記憶媒体Ｐは、受入口８０ａから第７搬送経路Ｒ７に搬送され、可動ストッパ部材６２の突き当て面で停止する。可動ストッパ部材６２上に所定枚数の記録媒体Ｐが積載及び整合されると、折りユニット６０によって各種の折り処理が行われ、断裁ユニット７０に搬送される。
【００３９】
表紙給紙部３０は、合紙や表紙用紙等を収容する表紙載置部３１と給紙ローラ３２とを備えている。表紙給紙部３０に収納されている合紙又は表紙用紙は、給紙ローラ３２により分離、給送され、複数の搬送ローラに挟持されて、スタック台５１へ搬送される。表紙載置部３１から給紙ローラ３２を経て第３搬送経路Ｒ３に至るまでを第４の搬送経路Ｒ４とする。
【００４０】
ステイプルユニット５０は、スタック台５１とステイプラー５２とを備え、本体部１内で画像形成処理されて後処理部２の受入口８０ａに搬送された記録媒体Ｐが複数の搬送ローラによってスタック台５１に搬送された記録媒体Ｐの束を幅整合し、ステイプルラー５２により綴じ針で綴じるステイプル処理を行う。ステイプル処理された記録媒体Ｐの束は、昇降排紙トレイＴ４又は第５搬送経路Ｒ５を経て折りユニット６０へ搬送される。
【００４１】
ステイプラー５２は、記録媒体の搬送方向と直交する方向に移動可能であり、後述する画像制御部からの指示に基づいて、記録媒体のサイズ及び指示に基づく綴じ位置に応じて移動され、記録媒体の端部を綴じる端綴じ処理又は記録媒体の搬送方向の中央部を綴じる中綴じ処理等のステイプル処理を行う。
【００４２】
折りユニット６０は、スタック台６１、可動ストッパ部材６２、押圧ローラ６３等を備え、第５搬送経路Ｒ５又は第７搬送経路Ｒ７を経て搬送された記録媒体Ｐ又は記録媒体Ｐの束に対して、記録媒体Ｐの搬送方向の中央部（即ち、中綴じ処理による記録媒体の束への綴じ針の打ち込み位置）を折る中折り処理、３つ折り処理、Ｚ折り処理等の折り処理を行う。折り処理された記録媒体は、押圧ローラ６３から第６搬送経路Ｒ６を経て断裁ユニット７０へ搬送される。
【００４３】
断裁ユニット７０は、昇降可能に設けられた断裁上刃７１ａと固定的に設けられた断裁下刃７１ｂと有した切断刃７１、記録媒体Ｐの搬送方向に移動可能であり記録媒体Ｐの搬送面に突出可能な可動ストッパ７２、押圧部材７３等を備え、搬送された記録媒体Ｐの束に対して、記録媒体Ｐの搬送方向又は搬送方向と直交する方向の長さを指定されたサイズ（断裁サイズ）に切断する断裁処理を行う。断裁サイズは可動ストッパ７２の位置に応じて調整可能であり、後述する後処理制御部４００が制御部１１０から入力された断裁サイズに応じて可動ストッパ７２が移動される。
【００４４】
搬送された記憶媒体Ｐの束は、記録媒体Ｐの搬送面に突出された可動ストッパ７２に当接して停止され、押圧部材７３によって記録媒体Ｐの束の折り部付近の上面が押圧されて固定された後、切断上刃７１ａが下降することにより端部が断裁される。断裁処理後、可動ストッパ７２が搬送面の下方に埋没されると共に切断上刃７１ａ及び押圧部材７３が上昇された後、断裁処理済みの記録媒体Ｐの束が冊子として冊子排出トレイＴ５に排出される。
【００４５】
図２に、冊子作成システムＳの制御ブロック図を示す。
図２に示すように、冊子作成システムＳは、本体部１を制御する本体制御部１ａとプリンタコントローラ１ｂと、本体部１に接続された後処理部２から構成されている。本体部１は、プリンタコントローラ１ｂのＬＡＮＩＦ（Local Area Network InterFace）１４ｂを介してＬＡＮ上のユーザ端末ＰＣと相互に情報の送受信が可能に接続されている。
【００４６】
本体制御部１ａは、画像読取部１０、プリント部２０、操作表示部９０、画像制御部１００を備えて構成される。なお、図１で説明した各部と同一の構成には、同一の符号を付してその説明を省略する。
【００４７】
画像制御部１００は、制御部１１０、不揮発メモリ１２１、プログラムメモリ１２２、ＲＡＭ（Random Access Memory）１３０、読取処理部１４０、圧縮ＩＣ１５０、ＤＲＡＭ（Dynamic Random Access Memory）制御ＩＣ１６０、画像メモリ１７０、伸長ＩＣ１８０、書込処理部１９０等から構成される。
【００４８】
制御部１１０は、ＣＰＵ（Central Processing Unit）等から構成され、不揮発メモリ１２１又はプログラムメモリ１２２に格納されている各種処理プログラムに従って冊子作成システムＳの各部の動作を集中制御する。例えば、操作表示部９０から入力される操作信号に従って、コピーモード、プリンタモード、スキャナモード等を切り替え、不揮発メモリ１２１又はプログラムメモリ１２２に記憶されている各モードに対する処理プログラムを読み出して、複写、印刷、画像データの読取等の制御を行う。また、操作表示部９０から入力される操作信号やユーザ端末ＰＣから入力される出力データに従って、プリント出力された記録媒体Ｐの後処理を設定し指示する。
【００４９】
制御部１１０は、画像読取部１０の画像読取制御部２００から送信される画像読取信号ＳＶＶに基づいて、画像読取部１０から入力されるアナログ画像信号の保存処理を行う。画像読取信号ＳＶＶがＯＮ状態である場合を画像読取動作中とし、ＯＦＦ状態である場合を画像読取動作停止とする。
【００５０】
また、制御部１１０は、プリント部２０のプリント制御部３００に対して、画像書込信号ＰＶＶを送信する。画像書込信号ＰＶＶがＯＮ状態である場合を感光体ドラム上に形成されたトナー像が転写装置において記録媒体Ｐに転写されている状態とし、ＯＦＦ状態である場合を感光体ドラム上に形成されたトナー像が転写装置において記録媒体Ｐに転写されていない状態とする。
【００５１】
また、制御部１１０は、本実施の形態を実現させるために、不揮発メモリ１２１又はプログラムメモリ１２２から本実施の形態に係るページ間隔及び断裁サイズ設定プログラムと、ＲＡＭ１３０からジョブデータを読み出して、当該プログラム及びデータとの協働により、操作表示部９０又はユーザ端末ＰＣから入力されるデータが中綴じ、中折り、断裁処理が設定された冊子作成指示を示す場合、画像データをステイプル位置（中折り位置）を基準とした左右均等の位置に並置させて画像データを記録媒体上に形成させる。このとき、画像データの数に応じて記録媒体上に並置される画像データ相互間の配置間隔を調整すると共に、操作表示部９０又はユーザ端末ＰＣから入力された記録媒体の長手方向の寸法（長手寸法Ｙ）と、並置される画像データ相互間の配置間隔が最小である場合の画像データの配置位置と最大である場合の画像データの配置位置との差分量（最大オフセット量αｍａｘ）とに基づいて断裁される記録媒体の束のサイズ（断裁サイズＷ）を下記に示す（式１）を用いて算出し設定する断裁サイズ設定手段としての機能を実現する。断裁サイズとは、２つ折りの冊子状にされた記録媒体の幅方向の寸法である。
【００５２】
Ｗ＝（Ｙ／２）−αｍａｘ                                      ・・・・（式１）
Ｗ：断裁サイズ
Ｙ：長手寸法
αｍａｘ：最大オフセット量
【００５３】
（式１）を用いることにより容易に断裁サイズを算出することができるため、制御部１１０の制御負荷を低減さることができる。
【００５４】
また、制御部１１０は、不揮発メモリ１２１又はプログラムメモリ１２２から本実施の形態に係るページ間隔及び断裁サイズ設定プログラムと、ＲＡＭ１３０からジョブデータを読み出して、画像データの数に応じて記録媒体上に並置されて記録される画像データ相互間の配置間隔を調整する際、操作表示部９０又はユーザ端末ＰＣから入力された並置される画像データ相互間の最小配置間隔（基準ページ間隔Ａｓ）及び最大オフセット量αｍａｘに基づいて、並置される画像データ相互間の配置間隔（ページ間隔Ａ）を記録媒体毎に算出する配置間隔算出手段としての機能を実現する。
【００５５】
このように、記録媒体毎のページ間隔を差分量と画像データの数と共に容易に算出することができるため、制御部１１０の制御負荷を低減させることができる。
【００５６】
図３に、中綴じ、中折り、断裁処理が設定された冊子作成指示が入力された場合、画像データの数に応じて記録媒体上に並置されて記録される画像データ相互間の配置間隔が調整された際、並置される画像データ相互間の配置間隔が最小である場合の画像データの配置位置と最大である場合の画像データの配置位置の例を示す。
Ｐｍｉｎは、並置される画像データ相互間の配置間隔が最小である場合の画像データの配置位置を示し、Ｐｍａｘは、並置される画像データ相互間の配置間隔が最大である場合の画像データの配置位置を示す。
【００５７】
なお、２つ折りの冊子となるように画像データが並置された記録媒体において、向かって右側に配置される画像データを右側プリント画像Ｉｒとし、左側に配置される画像データを左側プリント画像Ｉｌとする。
【００５８】
並置される画像データ相互間の配置間隔（即ち、右側プリント画像Ｉｒと左側プリント画像Ｉｌとの配置間隔）が最小である場合とは、作成された冊子の最も内側の記録媒体に形成される画像データ相互間の配置間隔であり、並置される画像データ相互間の配置間隔が最大である場合とは、作成された冊子の最も外側の記録媒体に形成される画像データ相互間の配置間隔である。
【００５９】
図３に示すように、基準ページ間隔Ａｓは、画像データ相互間の配置間隔が最小である場合の距離を示し、最大オフセット量αｍａｘは、画像データ相互間の配置間隔が最小である画像の基準貼り位置（例えば、左側画像基準貼り位置Ｐｌｍｉｎ）と画像データ相互間の配置間隔が最大である画像の基準貼り位置（例えば、左側画像基準貼り位置Ｐｌｍａｘ）との距離を示す。
【００６０】
画像データ相互間の配置間隔が最大である場合のページ間隔（最大ページ間隔）Ａｍａｘは、下記に示す（式２）のように、基準ページ間隔Ａｓに最大オフセット量αｍａｘが２倍された距離が加算された距離となる。
【００６１】
Ａｍａｘ＝Ａｓ＋２αｍａｘ                                  ・・・・（式２）
Ａｍａｘ：最大ページ間隔
Ａｓ：基準ページ間隔
αｍａｘ：最大オフセット量
【００６２】
したがって、他の画像データ相互間の配置間隔（ページ間隔Ａ）は、基準ページ間隔Ａｓ、最大オフセット量αｍａｘ、画像データの総数ｎ、第２面の画像形成回数をカウントする第２面カウンタｎ２が示すカウンタ値に基づいて算出することができる。例えば、下記に示す（式３）を用いることができる。
【００６３】
なお、画像データの総数ｎは４の倍数である。入力された画像データの数が４の倍数でない場合には、画像データの総数が４の倍数となるように不足分だけ白紙画像データが追加される。
【００６４】
Ａ＝Ａｓ＋（２×αｍａｘ）−（αｍａｘ／（（ｎ／４）−１））×（ｎ２−１）×２
＝Ａｍａｘ−（αｍａｘ／（（ｎ／４）−１））×（ｎ２−１）×２  ・・・・（式３）
Ａ：ページ間隔
Ａｍａｘ：最大ページ間隔
Ａｓ：基準ページ間隔
αｍａｘ：最大オフセット量
ｎ：画像データの総数
ｎ２：第２面カウンタのカウンタ値
【００６５】
（式３）より、並置される画像データのオフセット量αは、下記の（式４）を用いて算出することができる。
【００６６】
α＝αｍａｘ−（αｍａｘ／（（ｎ／４）−１））×（ｎ２−１）    ・・・・（式４）
【００６７】
並置される各画像データは、ステイプル位置Ｃ（中折り位置）から算出された各オフセット量αだけ順次ずれて配置されるため、最も外側の記録媒体の画像データは、他の画像データに比べて記録媒体の長手方向端部までの距離が短くなる。したがって、最も外側の記録媒体の画像データを断裁せずに断裁後の各記録媒体の長手方向端部から各画像データまでの距離が等しくなるように断裁するには、断裁片Ｐｃの断裁幅Ｗｃを最も外側の記録媒体のオフセット量（最大オフセット量αｍａｘ）と等しい幅に設定することにより可能となる。このことから、断裁サイズＷは、記録媒体の長手寸法Ｙと最大オフセット量αｍａｘとに基づいて（式１）を用いて算出することができる。
【００６８】
不揮発メモリ１２１は、画像形成に係るデータの他、プリント部２０を介して後処理制御部４００に対して設定する画像形成処理された記録媒体Ｐに対する後処理のデータ及び各種プログラムで処理されたデータ等を記憶する。
【００６９】
プログラムメモリ１２２は、画像形成に係る各種処理プログラムの他、本実施の形態に係るページ間隔及び断裁サイズ設定プログラム等を記憶する。
【００７０】
なお、不揮発メモリ１２１とプログラムメモリ１２２を個別に設けた例を示すが、各種プログラム及びデータを記憶する単一の不揮発性のメモリを用いてもよい。
【００７１】
ＲＡＭ１３０は、制御部１１０により実行される各種プログラム及びこれらプログラムに係るデータを一時的に記憶するワークエリアを形成する。また、本実施の形態を実現させるために、ジョブデータやその他の各種ワークデータを記憶する。
【００７２】
図４に、ジョブデータの一例を示す。
図４に示すように、ジョブデータ１３１は、ページ共通のデータ（ページ共通データ１３１ａ）と、出力されるページ毎のデータ（ページ別データ１３１ｂ）とから構成されている。
【００７３】
ページ共通データ１３１ａは、ユーザ端末ＰＣや後述する操作表示部９０から入力される操作信号に基づいた設定条件、画像形成動作及び後処理動作の動作状態を示すデータを含む。
【００７４】
例えば、ページ共通データ１３１ａとしては、記録媒体Ｐの出力部数を示す設定部数Ｄ１、出力済みの部数がカウントされた値を示す出力済み部数Ｄ２、画像データを形成する面、即ち片面から両面印刷、両面から片面印刷等を示すコピーモードＤ３、応用機能としての冊子作成指示の有無を示す冊子データＤ４、応用機能としてのとじ代の有無を示すとじ代データＤ５、とじ代が有りの場合に設定される基準ページ間隔データＡ及び最大オフセット量データαｍａｘの設定値Ｄ５ａ及びＤ５ｂ、設定された後処理の種類を示す後処理モードＤ６、第１面の画像形成回数をカウントする第１面カウンタｎ１が示すカウンタ値Ｄ７ａ、第２面の画像形成回数をカウントする第２面カウンタｎ２が示すカウンタ値Ｄ７ｂ、読み込まれた画像データの総数ｎを示す読込済画像枚数Ｄ８、画像形成動作が実行されている記録媒体の面を示す印刷面ステータスＤ９等である。
【００７５】
ページ別データは、画像データ毎に各画像データが格納されている画像メモリ１７０上のアドレスを示す画像格納アドレス等から構成される。
【００７６】
読込処理部１４０は、画像読取部１０の読取制御部２００から入力されるアナログ画像信号に、アナログ処理、Ａ／Ｄ変換処理、シェーディング処理等の各種処理を施した後、デジタル画像データを生成する。生成された画像データは、圧縮ＩＣ１５０に出力される。
【００７７】
圧縮ＩＣ１５０は、入力されたデジタル画像データに圧縮処理を施してＤＲＡＭ制御ＩＣ１６０に出力する。
【００７８】
ＤＲＡＭ制御ＩＣ１６０は、制御部１１０からの指示に従って、圧縮ＩＣ１５０によるデジタル画像データの圧縮処理及び伸長ＩＣ１８０による圧縮画像データの伸長処理を制御するとともに、画像メモリ１７０への画像データの入出力制御を行う。
【００７９】
例えば、ＤＲＡＭ制御ＩＣ１６０は、画像読取部１０により読み取られたアナログ画像信号の保存の指示されると、読込処理部１４０から入力されたデジタル画像データの圧縮処理を圧縮ＩＣ１５０により実行させて、圧縮画像データを画像メモリ１７０の圧縮メモリ１７１に格納させる。また、圧縮メモリ１７１に格納された圧縮画像データのプリント出力が指示されると、圧縮メモリ１７１から圧縮画像データを読み出し、伸長ＩＣ１８０により伸長処理を施してページメモリ１７２に格納させる。さらに、ページメモリ１７２に格納された非圧縮画像データのプリント出力が指示されると、ページメモリ１７２から非圧縮画像データを読み出して書込処理部１９０に出力する。
【００８０】
画像メモリ１７０は、ＤＲＡＭ（Dynamic RAM）から構成される圧縮メモリ１７１とページメモリ１７２とを備える。圧縮メモリ１７１は、圧縮画像データを格納するためのメモリであり、ページメモリ１７２は、プリント出力前にプリント出力対象の非圧縮画像データを一時的に格納するためのメモリである。
【００８１】
伸長ＩＣ１８０は、入力される圧縮画像データに伸長処理を施す。
【００８２】
書込処理部１９０は、ＤＲＡＭ制御ＩＣ１６０から入力された非圧縮画像データに基づいて、画像形成のためのプリントデータを生成し、プリント部２０に出力する。
【００８３】
画像読取部１０は、ＣＣＤ（Charge Coupled Devices）１２ａ、画像読取制御部２００、その他ここでは図示しないが図１に示したＡＤＦ部１１、読取部１２から構成される。画像読取制御部２００は、自動原稿送り部１１、読取部１２等を制御して、コンタクトガラスに載置された原稿面の露光走査を実行させ、光の反射光をＣＣＤイメージセンサ１２ａにより光電変換を行い画像を読み取る。読み取られたアナログ画像信号は、画像制御部１００の読込処理部１４０に出力される。
【００８４】
操作表示部９０は、ＬＣＤ（Liquid Crystal Display）９１、操作表示制御部９００、その他図示しない操作キー群から構成される。ＬＣＤ９１上には、ＬＣＤ９１を覆うようにタッチパネルが設けられており、操作表示制御部９００は、制御部１１０から入力される表示信号に従って、プリント条件を入力するための基本画面や、各種処理結果等をＬＣＤ９１の表示画面上に表示させる。また、操作表示制御部９００は、操作キー群又はタッチパネルから入力される操作信号を制御部１１０に出力する。
【００８５】
また、操作表示部９０は、応用機能として、冊子作成指示、ステイプル処理、折り処理、断裁処理等が設定可能な各種応用機能操作画面が表示される。操作表示部９０は、この応用機能操作画面において、冊子作成指示がされた場合、記録媒体の長手方向の寸法（長手寸法Ｙ）を設定する寸法設定手段としての機能と、最大オフセット量αｍａｘを受け付ける差分量設定入力手段としての機能と、基準ページ間隔Ａを受け付ける配置間隔入力手段としての機能を実現する各種設定画面を表示する。
【００８６】
図５及び図６に、各種設定画面の例を示す。
図５（ａ）に、基本画面Ｇ０の一例、図５（ｂ）に、用紙設定釦を押下した場合の用紙設定画面Ｇ１０の一例、図５（ｃ）に、応用設定釦を押下した場合の応用機能設定画面Ｇ２０の一例、図６（ａ）に、とじ代釦を押下し、ページ間隔釦が押下された場合のページ間隔設定画面Ｇ３０を示し、図６（ｂ）に、とじ代釦を押下し、オフセット釦が押下された場合のオフセット設定画面Ｇ４０の一例を示す。
【００８７】
図５（ａ）に示す基本画面Ｇ０は、基本設定エリアＧ１と、集約／原稿設定画面に切り替える集約／原稿釦Ｇ２、画質設定画面に切り替える画質設定釦Ｇ３、応用機能設定画面Ｇ２０に切り替える応用設定釦Ｇ４を有する。
【００８８】
基本設定エリアＧ１には、濃度／下地を設定する濃度設定画面に切り替える濃度下地設定釦Ｇ１ａ、用紙の種類を選択する用紙設定画面Ｇ１０に切り替える用紙設定釦Ｇ１ｂ、画像データの倍率を設定する倍率設定画面に切り替える倍率設定釦Ｇ１ｃ、画像データを形成する面、即ち片面から両面印刷、両面から片面印刷等を示すコピーモードを設定するコピーモード設定画面に切り替えるコピーモード設定釦Ｇ１ｄ等を有する。
【００８９】
図５（ｂ）に示す用紙設定画面Ｇ１０は、設定可能な記録媒体の種類を選択する釦が選択可能に表示されており、ユーザによって押下された釦の操作信号に基づいて、制御部１１０は、設定された記録媒体の長手方向の寸法を設定する。
【００９０】
なお、本実施の形態においては、記録媒体の種類を選択する釦の操作信号に基づいて記録媒体の長手方向の寸法が設定される例を示すが、記録媒体の長手方向及び幅方向の寸法をユーザが直接入力してもよく、また、読み取られた画像の大きさに応じて記録媒体の種類を選択する機能を有し、選択された記録媒体の長手方向の寸法を設定する方策でもよく、記録媒体の長手方向の寸法を設定する寸法設定手段としては、これに限らない。
【００９１】
図５（ｃ）に示す応用機能設定画面Ｇ２０は、各種応用機能を選択する釦が選択可能に表示されており、例えば、複数の画像データを中綴じされた２つ折りの冊子となるように画像データの画像形成順序を並べ換えて両面印刷させる機能を設定する冊子釦Ｇ２１や、記録媒体に形成される画像データの配置位置を調整して四方の端部に余白領域を設定するとじ代釦Ｇ２２や、原稿の白い部分を黒く、黒い部分を白く反転させて画像データを形成させる機能を設定する釦等を有する。
【００９２】
図６（ａ）に示すページ間隔設定画面Ｇ３０は、応用機能設定画面Ｇ２０において、冊子釦Ｇ２１が押下されて選択された後、とじ代釦Ｇ２２が押下されたとじ代設定画面において、ページ間隔釦Ｇ３１が押下された場合に表示される設定画面である。
【００９３】
ページ間隔設定画面Ｇ３０は、基準ページ間隔Ａｓを設定させるためのページ間隔設定画面Ｇ３０に切り替えるページ間隔釦Ｇ３１と、最大オフセット量αｍａｘを設定させるためのオフセット設定画面に切り替えるオフセット釦Ｇ３２と、設定される基準ページ間隔Ａｓのイメージ画像Ｇ３３ａ及び設定値Ｇ３３ｂをユーザに目視により確認させるためのプレビューエリアＧ３３、テンキー等を有する。
【００９４】
図６（ｂ）に示すオフセット設定画面Ｇ４０は、応用機能設定画面Ｇ２０において、冊子釦Ｇ２１が押下されて選択された後、とじ代釦Ｇ２２が押下されたとじ代設定画面において、オフセット釦Ｇ３２が押下された場合に表示される設定画面である。
【００９５】
オフセット設定画面Ｇ４０は、ページ間隔釦Ｇ３１と、オフセット釦Ｇ３２と、設定される最大オフセット量αｍａｘのイメージ画像Ｇ４３ａ及び設定値Ｇ４３ｂをユーザに目視により確認させるためのプレビューエリアＧ４３、テンキー等を有する。
【００９６】
ユーザの任意の操作に基づいて記録媒体の種類が選択されることにより長手寸法と最大オフセット量αｍａｘと基準ページ間隔Ａｓを設定することができるため、断裁サイズの設定の自由度を向上させることができると共に記録媒体毎のページ間隔の設定の自由度を向上させることができ、更に、記録媒体毎のページ間隔を容易に算出することができるため、制御負荷を低減させることができる。
【００９７】
次に、プリンタコントローラ１ｂの各部について説明する。
プリンタコントローラ１ｂは、コントローラ制御部１１ｂ、ＤＲＡＭ制御ＩＣ１２ｂ、画像メモリ１３ｂ、ＬＡＮＩＦ１４ｂから構成される。
【００９８】
コントローラ制御部１１ｂは、各部の動作を統括的に制御し、ＬＡＮＩＦ１４ｂを介して、ユーザ端末ＰＣから入力される出力データをジョブとして本体制御部１ａへ配信する機能を実現する。
【００９９】
ＤＲＡＭ制御ＩＣ１２ｂは、ＬＡＮＩＦ１４ｂにより受信された出力データの画像メモリ１３ｂへの格納や、画像メモリ１３ｂからの出力データの読み出しを制御する。また、ＤＲＡＭ制御ＩＣ１２ｂは、画像制御部１００のＤＲＡＭ制御ＩＣ１６０とＰＣＩ（Peripheral Components Interconnect）バスで接続されており、コントローラ制御部１１ｂからの指示に従って、プリント対象の出力データを画像メモリ１３ｂから読み出してＤＲＡＭ制御ＩＣ１６０に出力する。
【０１００】
画像メモリ１３ｂは、ＤＲＡＭから構成され、入力された出力データを一時的に格納する。
【０１０１】
ＬＡＮＩＦ１４ｂは、ＮＩＣ（Network Interface Card）やモデム等のＬＡＮに接続するための通信インターフェイスであり、ユーザ端末ＰＣからＬＡＮを介して、印刷対象の出力データを受信する。受信された出力データは、ＤＲＡＭ制御ＩＣ１２ｂに出力される。
【０１０２】
後処理部２は、ステイプルユニット５０、折りユニット６０、断裁ユニット７０、各種後処理ユニットへ記録媒体を搬送する搬送ローラ等の搬送手段８０等が設けられており、各部は後処理制御部４００により統括的に制御されている。
後処理制御部４００は、制御部１１０からプリント制御部３００を介して入力される後処理の指示信号に応じて、記録媒体Ｐを搬送経路に沿って所定の後処理ユニットに搬送し、各部を駆動制御して記録媒体Ｐに所定の後処理を行わせ、所定の排出トレイに排出する制御を行う。
【０１０３】
次に、本実施の形態の動作を説明する。
図７〜１０に、本実施の形態におけるページ間隔及び断裁サイズ設定処理のフローチャートを示す。図７〜１０に示すフローチャートは、制御部１１０において実行される処理である。
【０１０４】
図７に示すフローチャートは、コピー開始後、画像読取信号ＳＶＶに基づいて、画像読み取り動作が終了した際に実行される処理である。
【０１０５】
制御部１１０は、まず、コピー開始後、画像読み取り動作が終了したか否かを判別し（ステップＳ１）、画像読み取り動作が終了していないと判別した場合（ステップＳ１；Ｎｏ）、切り替わるまで待機する。
【０１０６】
制御部１１０は、画像読み取り動作が終了したと判別した場合（ステップＳ１；Ｙｅｓ）、画像読み取り終了時に設定されるジョブデータ１３１のコピーモードＤ３を参照して、中綴じ処理、断裁処理、冊子作成処理全てが設定されているか否かを判別する（ステップＳ２）。
【０１０７】
制御部１１０は、中綴じ処理、断裁処理、冊子作成処理全てが設定されていないと判別した場合（ステップＳ２；Ｎｏ）、中綴じ処理、断裁処理、冊子作成処理全てが設定されていない他の処理、即ち、ページ間隔及び断裁サイズ設定処理が不要となるステイプル処理等に対応した各種処理が実行される。
【０１０８】
制御部１１０は、中綴じ処理、断裁処理、冊子作成処理全てが設定されていると判別した場合（ステップＳ２；Ｙｅｓ）、ジョブデータ１３１の第１面カウンタｎ１及び第２面カウンタｎ２のカウンタ値Ｄ７ａ、Ｄ７ｂを初期化（「１」に設定）する（ステップＳ４）。
【０１０９】
制御部１１０は、第１及び第２面カウンタｎ１、ｎ２の初期化後、印刷面ステータスＤ９を初期化（「第１面」に設定）する（ステップＳ５）。
【０１１０】
制御部１１０は、第１及び第２面カウンタｎ１、ｎ２及び印刷面ステータスＤ９の初期化後、後述するプリントページ設定処理を実行し（ステップＳ６）、プリントページ設定処理後、後述するページ間隔設定処理を実行する（ステップＳ７）。
【０１１１】
制御部１１０は、ページ間隔設定処理後（ステップＳ７後）、ジョブデータ１３１に設定されている最大オフセット量αｍａｘと画像データが形成される記録媒体の長手寸法Ｙと上述した（式１）とに基づいて断裁サイズＷを算出しＲＡＭ１３０に一時的に記憶する（ステップＳ８）。
【０１１２】
制御部１１０は、算出した断裁サイズＷとジョブデータ１３１に設定されている後処理モードＤ６とをプリント制御部３００及び後処理制御部４００に送信し（ステップＳ９）、画像読み取り動作が終了した際に実行される処理を終了する。
【０１１３】
図８に、図７のステップＳ６に実行されるプリントページ設定処理のフローチャートを示す。プリントページ設定処理とは、複数の画像データを中綴じされた２つ折りの冊子となるように画像データの画像形成順序を並べ換えて記録媒体上に形成される画像データを設定する処理である。
【０１１４】
制御部１１０は、ジョブデータ１３１を参照して、印刷面ステータスＤ９は、「第１面」を示しているか否かを判別する（ステップＳ１１）。
【０１１５】
制御部１１０は、印刷ステータスＤ９が「第１面」を示していると判別した場合（ステップＳ１１；Ｙｅｓ）、ジョブデータを参照して、第１面カウンタｎ１のカウンタ値Ｄ７ａを読み出し、右側プリント画像となる画像データの設定を行う（ステップＳ１２）。右側プリント画像の設定としては、下記に示す（式５）を用いて設定することができる。
【０１１６】
Ｎｒ＝（ｎ１−１）×２＋１                                  ・・・・（式５）
Ｎｒ：右側プリント画像となる画像データの画像読取時に各画像データに付加されるページ別番号
ｎ１：第１面カウンタ値
【０１１７】
更に、制御部１１０は、ジョブデータを参照して、読込済画像枚数（即ち、画像データ総数）ｎが示す値Ｄ８及び第１面カウンタｎ１のカウンタ値Ｄ７ａを読み出して、左側プリント画像となる画像データの設定を行う（ステップＳ１３）。左側プリント画像の設定としては、下記に示す（式６）を用いて設定することができる。
【０１１８】
Ｎｌ＝ｎ−（ｎ１−１）×２                                  ・・・・（式６）
Ｎｌ：左側プリント画像となる画像データの画像読取時に各画像データに付加されるページ別番号
ｎ１：第１面カウンタ値
ｎ：画像データ総数
【０１１９】
制御部１１０は、印刷ステータスＤ９が「第１面」を示していない、即ち「第２面」を示していると判別した場合（ステップＳ１１；Ｎｏ）、ジョブデータを参照して、読込済画像枚数（即ち、画像データ総数）ｎが示す値Ｄ８及び第２面カウンタｎ２のカウンタ値Ｄ７ｂを読み出し、右側プリント画像となる画像データの設定を行う（ステップＳ１４）。右側プリント画像の設定としては、下記に示す（式７）を用いて設定することができる。
【０１２０】
Ｎｒ＝（ｎ−１）−（ｎ２−１）×２                          ・・・・（式７）
Ｎｒ：右側プリント画像となる画像データの画像読取時に各画像データに付加されるページ別番号
ｎ２：第２面カウンタ値
ｎ：画像データ総数
【０１２１】
更に、制御部１１０は、ジョブデータを参照して、第２面カウンタｎ２のカウンタ値Ｄ７ｂを読み出して、左側プリント画像となる画像データの設定を行う（ステップＳ１５）。左側プリント画像の設定としては、下記に示す（式８）を用いて設定することができる。
【０１２２】
Ｎｌ＝（ｎ２−１）×２＋２                                    ・・・・（式８）
Ｎｌ：左側プリント画像となる画像データの画像読取時に各画像データに付加されるページ別番号
ｎ２：第２面カウンタ値
【０１２３】
右側プリント画像及び左側プリント画像が設定された後（ステップＳ１３又はステップＳ１５後）、プリントページ設定処理は終了され、ステップＳ７に進む。
【０１２４】
図９に、図７のステップＳ７に実行されるページ間隔設定処理のフローチャートを示す。ページ間隔設定処理とは、ステップＳ６において設定された右側プリント画像と左側プリント画像を記録媒体上に並置させる際の相互間の距離（ページ間隔Ａ）を設定する処理である。
【０１２５】
制御部１１０は、ステップＳ６後、ジョブデータ１３１を参照して、基準ページ間隔Ａｓ、最大オフセット量αｍａｘ、読込済画像枚数（画像データ総数）ｎ、第２面カウンタｎ２が示す値（Ｄ５ａ、Ｄ５ｂ、Ｄ８、Ｄ７ｂ）を読出し（ステップＳ２１）、上述した（式３）を用いてページ間隔Ａを算出する（ステップＳ２２）。
【０１２６】
ページ間隔Ａが算出され設定された後（ステップＳ２２後）、ページ間隔設定処理は終了され、ステップＳ８に進む。
【０１２７】
図１０に、コピー開始後、画像読取処理が終了されプリント処理に移行した場合、画像書込信号ＰＶＶがＯＮ状態からＯＦＦ状態に切り替わった際に実行される処理のフローチャートを示す。
【０１２８】
制御部１１０は、まず、画像書込信号ＰＶＶがＯＮ状態からＯＦＦ状態に切り替わったか否かを判別し（ステップＳ３１）、画像書込信号ＰＶＶがＯＦＦ状態に切り替わっていないと判別した場合（ステップＳ３１；Ｎｏ）、切り替わるまで待機する。
【０１２９】
制御部１１０は、画像書込信号ＰＶＶがＯＮ状態からＯＦＦ状態に切り替わったと判別した場合（ステップＳ３１；Ｙｅｓ）、ジョブデータ１３１のコピーモードＤ３を参照して、中綴じ処理、断裁処理、冊子作成処理全てが設定されているか否かを判別する（ステップＳ３２）。
【０１３０】
制御部１１０は、中綴じ処理、断裁処理、冊子作成処理全てが設定されていないと判別した場合（ステップＳ３２；Ｎｏ）、中綴じ処理、断裁処理、冊子作成処理全てが設定されていない他の処理、即ち、ページ間隔及び断裁サイズ設定処理が不要となるステイプル処理等に対応した各種処理が実行される。
【０１３１】
制御部１１０は、中綴じ処理、断裁処理、冊子作成処理全てが設定されていると判別した場合（ステップＳ３２；Ｙｅｓ）、ジョブデータ１３１の印刷面ステータスＤ９を参照して、印刷面ステータスＤ９が「第１面」を示しているか否かを判別する（ステップＳ３４）。
【０１３２】
印刷面ステータスＤ９が「第１面」を示していると判別した場合（ステップＳ３４；Ｙｅｓ）、印刷面ステータスＤ９を「第２面」に設定し（ステップＳ３５）、第１面カウンタｎ１のカウンタ値Ｄ７ａに１を加算する（ステップＳ３６）。
【０１３３】
印刷面ステータスＤ９が「第１面」を示していない、即ち「第２面」を示していると判別した場合（ステップＳ３７；Ｎｏ）、印刷面ステータスＤ９を「第１面」に設定し（ステップＳ３５）、第２面カウンタｎ２のカウンタ値Ｄ７ｂに１を加算する（ステップＳ３８）。
【０１３４】
制御部１１０は、印刷面ステータスの設定及び第１又は２面カウンタｎ１、ｎ２の設定後、前述したプリントページ設定処理を実行し（ステップＳ３９）、プリントページ設定処理後、前述したページ間隔設定処理を実行する（ステップＳ４０）。
【０１３５】
制御部１１０は、ページ間隔設定処理後（ステップＳ４０後）、画像書込信号ＰＶＶがＯＮ状態からＯＦＦ状態に切り替わった際に実行される処理を終了する。
【０１３６】
図１１に、中綴じ、中折り、断裁処理及び冊子作成処理が設定された場合における冊子作成システムＳの動作のタイムチャート例を示す。
【０１３７】
第１給紙信号は、制御部１１０からプリント制御部３００に出力され、記録媒体Ｐを給紙カセット２２ａからレジストローラ２３ａまで搬送させる動作信号であり、ＯＮ状態であるとき、搬送動作中を示す。第２給紙信号は、制御部１１０からプリント制御部３００に出力され、記録媒体をレジストローラ２３ａから転写装置２１ａまで搬送させる動作信号であり、ＯＮ状態であるとき、搬送動作中を示す。
【０１３８】
排紙信号は、プリント制御部３００から後処理制御部４００に出力され、画像が形成された記録媒体を排紙ローラ２５ａから受入口８０ａに排出させる動作信号であり、ＯＮ状態であるとき、排出動作中を示す。最終排紙信号は、プリント制御部３００から後処理制御部４００に出力され、最終番目の記録媒体が搬送されている旨を示す信号であり、排紙信号と同期して出力される。束排紙信号は、後処理制御部４００からプリント制御部３００を介して制御部１１０に出力され、記録媒体の束が冊子収納トレイに排出された旨を示す信号である。
【０１３９】
まず、時刻ｔ０のとき、操作表示部９０のコピースタートキーが押下されることにより、コピー動作が開始され、画像読取信号ＳＶＶがＯＮ状態となり原稿の読込動作が開始される。時刻ｔ０〜ｔ１のとき、読み込まれた画像データの数がカウントされて、１６枚の画像データが読み込まれる例を示している。
【０１４０】
なお、基準ページ間隔Ａが２[ｍｍ]、最大オフセット量αｍａｘが６[ｍｍ]、２９７[ｍｍ]×４２０[ｍｍ]のＡ３サイズの記録媒体が設定された場合について説明する。
【０１４１】
時刻ｔ１のとき、原稿の読込動作が終了され画像読取信号ＳＶＶがＯＮ状態からＯＦＦ状態に切り替わると、第１給紙信号がＯＮ状態となると共に、図７〜９に示した動作が実行されることにより、第１面カウンタｎ１及び第２面カウンタｎ２が初期化（「１」に設定）され印刷面ステータスが「第１面」に設定され、右側プリント画像が１番目に読み込まれた画像データとして設定され、左側プリント画像が１６番目に読み込まれた画像データとして設定されると共に、ページ間隔Ａが１４[ｍｍ]、断裁サイズＷが２０４[ｍｍ]と算出され設定される。算出された断裁サイズＷ（Ｗ＝２０４[ｍｍ]）は、後処理制御部４００に送信される。
【０１４２】
時刻ｔ１〜ｔ２のとき、給紙された記録媒体の第１面上に設定されたページ間隔Ａ（Ａ＝１４[ｍｍ]）で設定された画像データが形成される。
【０１４３】
時刻ｔ２のとき、記録媒体の第１面上に対する画像データの書込処理が終了されて画像書込信号ＰＶＶがＯＮ状態からＯＦＦ状態に切り替わると、図８〜１０に示した動作が実行されることにより、印刷面ステータスが「第１面」から「第２面」に設定されると共に、第１面カウンタｎ１に１が加算され（ｎ１＝２となる。）、右側プリント画像が１５番目に読み込まれた画像データとして設定され、左側プリント画像が２番目に読み込まれた画像データとして設定されると共に、ページ間隔Ａが１４[ｍｍ]に設定される。
【０１４４】
時刻ｔ２〜ｔ３のとき、給紙された記録媒体の第２面上に設定されたページ間隔Ａ（Ａ＝１４[ｍｍ]）で設定された画像データが形成される。
【０１４５】
時刻ｔ３のとき、記録媒体の第２面上に対する画像データの書込処理が終了されて画像書込信号ＰＶＶがＯＮ状態からＯＦＦ状態に切り替わると、図８〜１０に示した動作が実行されることにより、印刷面ステータスが「第２面」から「第１面」に設定されると共に、第２面カウンタｎ２に１が加算され（ｎ２＝２となる。）、右側プリント画像が３番目に読み込まれた画像データとして設定され、左側プリント画像が１４番目に読み込まれた画像データとして設定されると共に、ページ間隔Ａが１０[ｍｍ]に設定される。
【０１４６】
時刻ｔ３〜ｔ４のとき、給紙された記録媒体の第１面上に設定されたページ間隔Ａ（Ａ＝１０[ｍｍ]）で設定された画像データが形成され、また時刻ｔ１〜ｔ３において画像データが形成された記録媒体が後処理部２に排出される。
【０１４７】
時刻ｔ４のとき、記録媒体の第１面上に対する画像データの書込処理が終了されて画像書込信号ＰＶＶがＯＮ状態からＯＦＦ状態に切り替わると、図８〜１０に示した動作が実行されることにより、印刷面ステータスが「第１面」から「第２面」に設定されると共に、第１面カウンタｎ１に１が加算され（ｎ１＝３となる。）、右側プリント画像が１３番目に読み込まれた画像データとして設定され、左側プリント画像が４番目に読み込まれた画像データとして設定されると共に、ページ間隔Ａが１０[ｍｍ]に設定される。
【０１４８】
時刻ｔ４〜ｔ５のとき、給紙された記録媒体の第２面上に設定されたページ間隔Ａ（Ａ＝１０[ｍｍ]）で設定された画像データが形成される。
【０１４９】
時刻ｔ５のとき、記録媒体の第２面上に対する画像データの書込処理が終了されて画像書込信号ＰＶＶがＯＮ状態からＯＦＦ状態に切り替わると、図８〜１０に示した動作が実行されることにより、印刷面ステータスが「第２面」から「第１面」に設定されると共に、第２面カウンタｎ２に１が加算され（ｎ２＝３となる。）、右側プリント画像が５番目に読み込まれた画像データとして設定され、左側プリント画像が１２番目に読み込まれた画像データとして設定されると共に、ページ間隔Ａが６[ｍｍ]に設定される。
【０１５０】
時刻ｔ５〜ｔ６のとき、給紙された記録媒体の第１面上に設定されたページ間隔Ａ（Ａ＝６[ｍｍ]）で設定された画像データが形成され、また時刻ｔ３〜ｔ５において画像データが形成された記録媒体が後処理部２に排出される。
【０１５１】
時刻ｔ６のとき、記録媒体の第１面上に対する画像データの書込処理が終了されて画像書込信号ＰＶＶがＯＮ状態からＯＦＦ状態に切り替わると、図８〜１０に示した動作が実行されることにより、印刷面ステータスが「第１面」から「第２面」に設定されると共に、第１面カウンタｎ１に１が加算され（ｎ１＝４となる。）、右側プリント画像が１１番目に読み込まれた画像データとして設定され、左側プリント画像が６番目に読み込まれた画像データとして設定されると共に、ページ間隔Ａが６[ｍｍ]に設定される。
【０１５２】
時刻ｔ６〜ｔ７のとき、給紙された記録媒体の第２面上に設定されたページ間隔Ａ（Ａ＝６[ｍｍ]）で設定された画像データが形成される。
【０１５３】
時刻ｔ７のとき、記録媒体の第１面上に対する画像データの書込処理が終了されて画像書込信号ＰＶＶがＯＮ状態からＯＦＦ状態に切り替わると、図８〜１０に示した動作が実行されることにより、印刷面ステータスが「第２面」から「第１面」に設定されると共に、第２面カウンタｎ２に１が加算され（ｎ２＝４となる。）、右側プリント画像が７番目に読み込まれた画像データとして設定され、左側プリント画像が１０番目に読み込まれた画像データとして設定されると共に、ページ間隔Ａが２[ｍｍ]に設定される。
【０１５４】
また、時刻ｔ７のとき、読込済画像枚数ｎを４で除算した値が第２面カウンタｎ２の値と一致するため、これから画像を形成する記録媒体は、最終番目の記録媒体である旨を示す最終紙情報が生成される。
【０１５５】
時刻ｔ７〜ｔ８のとき、給紙された記録媒体の第１面上に設定されたページ間隔Ａ（Ａ＝２[ｍｍ]）で設定された画像データが形成され、また時刻ｔ５〜ｔ７において画像データが形成された記録媒体が後処理部２に排出される。
【０１５６】
時刻８のとき、記録媒体の第１面上に対する画像データの書込処理が終了されて画像書込信号ＰＶＶがＯＮ状態からＯＦＦ状態に切り替わると、図８〜１０に示した動作が実行されることにより、印刷面ステータスが「第１面」から「第２面」に設定されると共に、最終紙情報が生成されていることから第１面カウンタｎ１に１が加算されず、右側プリント画像が９番目に読み込まれた画像データとして設定され、左側プリント画像が８番目に読み込まれた画像データとして設定されると共に、ページ間隔Ａが２ｍｍに設定される。
【０１５７】
時刻ｔ８〜ｔ９のとき、給紙された記録媒体の第２面上に設定されたページ間隔Ａ（Ａ＝２[ｍｍ]）で設定された画像データが形成される。
【０１５８】
時刻ｔ９〜時刻ｔ１０のとき、時刻ｔ７〜ｔ９において画像データが形成された記録媒体が後処理部２に排出される。
【０１５９】
時刻ｔ１０のとき、冊子となる記録媒体が全て後処理部２に搬送され、時刻ｔ１０〜時刻ｔ１１において後処理部２に搬送された記録媒体の束に対して中綴じ処理、中折り処理が施された後、設定された断裁サイズＷ（Ｗ＝２０４[ｍｍ]）に断裁処理され冊子収納トレイＴ５に排出される。
【０１６０】
このように、並置される画像データ相互間の配置間隔が最小である場合（即ち、ページ間隔が最小である場合）の画像データの配置位置と最大である場合（即ち、ページ間隔が最大である場合）の画像データの配置位置との差分量（最大オフセット量αｍａｘ）に基づいて、断裁サイズＷを設定することができるため、断裁サイズＷの設定処理の効率化を図ることができ、ユーザにとって使い勝手を向上させることができる。
【０１６１】
また、本発明は、上記実施の形態の内容に限定されるものではなく、本発明の主旨を逸脱しない範囲で適宜変更可能である。
【図面の簡単な説明】
【０１６２】
【図１】本実施の形態における冊子作成システムＳの断面構成図である。
【図２】冊子作成システムＳの制御ブロック図である。
【図３】並置される画像データ相互間の配置間隔が最小である場合の画像データの配置位置と最大である場合の画像データの配置位置例である。
【図４】ジョブデータの一例である。
【図５】各種設定画面の例であり、図５（ａ）は、基本画面Ｇ０の一例、図５（ｂ）は、用紙設定釦を押下した場合の用紙設定画面Ｇ１０の一例、図５（ｃ）は、応用設定釦を押下した場合の応用機能設定画面Ｇ２０の一例である。
【図６】各種設定画面の例であり、図６（ａ）は、ページ間隔設定画面Ｇ３０であり、図６（ｂ）は、オフセット設定画面Ｇ４０の一例である。
【図７】コピー開始後、画像読取信号ＳＶＶがＯＮ状態からＯＦＦ状態に切り替わった際に実行される処理のフローチャートである。
【図８】プリントページ設定処理のフローチャートである。
【図９】ページ間隔設定処理のフローチャートである。
【図１０】コピー開始後、画像読取処理が終了されプリント処理に移行した場合、画像書込信号ＰＶＶがＯＮ状態からＯＦＦ状態に切り替わった際に実行される処理のフローチャートである。
【図１１】冊子作成システムＳの動作のタイムチャート例である。
【符号の説明】
【０１６３】
１  本体部
１ａ  本体制御部
１ｂ  プリンタコントローラ
１１ｂ  コントローラ制御部
１２ｂ  ＤＲＡＭ制御ＩＣ
１３ｂ  画像メモリ
１４ｂ  ＬＡＮＩＦ
２  後処理部
１０  画像読取部
１１  自動原稿送り部
１２  読取部
１２ａ  イメージセンサ
２０  プリント部
２１  画像形成部
２１ａ  転写装置
２２  給紙部
２２ａ  給紙カセット
２２ｂ  給紙ローラ
２３  給紙搬送部
２３ａ  レジストローラ
２３ｂ  搬送路切換板
２３ｃ  自動両面給紙搬送路
２４  定着部
２５  搬出部
２５ａ  排紙ローラ
２５ｂ  搬出口
３０  表紙給紙部
３１  表紙載置部
３２  給紙ローラ
４０  シフト処理部
５０  ステイプルユニット
５１  スタック台
５２  ステイプラー
６０  折りユニット
６１  スタック台
６２  可動ストッパ部材
６３  押圧ローラ
７０  断裁ユニット
７１  切断刀
７１ａ  切断上刃
７１ｂ  切断下刃
７２  可動ストッパ
７３  押圧部材
８０  搬送手段
８０ａ  受入口
８１、８２、８４  第１、２、３切換ゲート
８３ａ、８３ｂ  排出ローラ
９０  操作表示部
９１  ＬＣＤ
１００  画像制御部
１１０  制御部
１２１  不揮発メモリ
１２２  プログラムメモリ
１３０  ＲＡＭ
１３１  ジョブデータ
１３１ａ  ページ共通データ
１３１ｂ  ページ別データ
１４０  読取処理部
１５０  圧縮ＩＣ
１６０  ＤＲＡＭ制御ＩＣ
１７０  画像メモリ
１７１  圧縮メモリ
１７２  ページメモリ
１８０  伸長ＩＣ
１９０  書込処理部
２００  画像読取制御部
３００  プリント制御部
４００  後処理制御部
９００  操作表示制御部
Ａ  ページ間隔
Ａｓ  基準ページ間隔
Ａｍａｘ  最大ページ間隔
Ｃ  中折り位置
ｄ  原稿
Ｇ０  基本画面
Ｇ１  基本設定エリア
Ｇ１ａ  濃度下地設定釦
Ｇ１ｂ  用紙設定釦
Ｇ１ｃ  倍率設定釦
Ｇ１ｄ  コピーモード設定釦
Ｇ２  集約／原稿釦
Ｇ３  画質設定釦
Ｇ４  応用設定釦
Ｇ１０  用紙設定画面
Ｇ２０  応用機能設定画面
Ｇ２１  冊子釦
Ｇ２２  とじ代釦
Ｇ３０  ページ間隔設定画面
Ｇ３１  ページ間隔釦
Ｇ３２  オフセット釦
Ｇ３３、Ｇ４３  プレビューエリア
Ｇ３３ａ、Ｇ４３ａ  イメージ画像
Ｇ３３ｂ、Ｇ４３ｂ  設定値
Ｇ４０  オフセット設定画面
Ｉｌ  左側プリント画像
Ｉｒ  右側プリント画像
Ｐ  記録媒体
Ｐｃ  断裁片
Ｐｌｍｉｎ、Ｐｌｍａｘ  左側画像基準貼り位置
Ｐｒｍｉｎ、Ｐｒｍａｘ  右側画像基準貼り位置
ＰＶＶ  画像書込信号
Ｒ１、２、３、４、５、６、７  第１、２、３、４、５、６、７搬送経路
Ｓ  冊子作成システム
ＳＶＶ  画像読取信号
Ｔ１  原稿トレイ
Ｔ２  手差しトレイ
Ｔ３  固定排紙トレイ
Ｔ４  昇降排紙トレイ
Ｔ５  冊子収納トレイ
Ｗ  断裁サイズ
Ｗｃ  断裁幅
αｍａｘ  最大オフセット量
【図１】
0004655776.tif 000002
【図２】
0004655776.tif 000003
【図３】
0004655776.tif 000004
【図４】
0004655776.tif 000005
【図５】
0004655776.tif 000006
【図６】
0004655776.tif 000007
【図７】
0004655776.tif 000008
【図８】
0004655776.tif 000009
【図９】
0004655776.tif 000010
【図１０】
0004655776.tif 000011
【図１１】
0004655776.tif 000012